(57)【要約】      （修正有）【課題】本体の開口部の高さ及び幅を甲高及び幅広の靴に対応できるように広くした、自動扉用の制御器内臓フットスイッチを提供する。【解決手段】方形状の本体４の中央部に方形状に窪ませた検知部５を設け本体に被着し検知部の側面に光線を照射する投光素子７と受光する受光素子を設置する。投光素子と受光素子の光線を靴１４で遮断したときに、本体の背面に固定された制御器９に扉開信号を出力する。投光素子と受光素子をシールド線で本体内の制御器と接続しておくことで現場作業効率を向上する。また、壁の厚さが薄い場所にも本体深さを４０ｍｍにすることにより対応でき、さらに、甲高乃至幅広の靴にも対応できるよう検知部の開口部を広くする。【選択図】図７
0003205951.tif 000002
【実用新案登録請求の範囲】
【請求項１】
方形状の本体の開口部の中央に方形状に窪ませて形成した検知部を設けて前記本体に被着し、前記本体の検知部における側面に、光線を照射する投光素子と、前記投光素子から照射された光線を受光する受光素子とを対置し、前記受光素子の受光を遮断したときに扉等自動開閉装置の制御器に開扉信号を出力するようになした制御器内臓フットスイッチにおいて、前記本体をステンレス材をもって一体化し、本体の開口部の高さを９０ｍｍ乃至１２０ｍｍ、幅１１０ｍｍ乃至１３０ｍｍとした特徴とする制御器内臓フットスイッチ。
【請求項２】
前記本体内に前記投光素子と受光素子を制御する制御器を設置し、前記投光素子と受光素子のシールド線を前記制御器に結線をしてなる請求項１記載の制御器内臓フットスイッチ
【考案の詳細な説明】
【技術分野】
【０００１】本考案は制御器内臓フットスイッチに関するものである。
【背景技術】
【０００２】病院の手術室或いは食品工場において自動扉の多くは、その扉の開閉装置として壁面の下部に設置する制御器が内蔵されていないフットスイッチを使用している、その用途は、それぞれの場所において消毒等特に衛生面考慮して、消毒をした手を他のものに触れさせないという配慮からである。【０００３】制御器内臓フットスイッチは、壁面に埋め込む方形状の本体の開口部の中央にさらに方形状に窪ませた検知部を本体に被着し、検知部の側面に投光素子と受光素子をそれぞれ設置し、照射された光線を遮断したときに検知部の制御器に信号を示し。制御器より出力が出るようにしたものである。【０００４】そして本体及び捨てボックスは、一般的に７０ｍｍ乃至８０ｍｍの深さがあるものが多く、一般的には制御器が内蔵されていないフットスイッチを使用されている。前記フットスイッチの取付場所の壁の厚味が益々薄い傾向にあり、この壁に対応するように深さを最小限４０ｍｍに浅くしたものである。
【先行技術文献】
【０００５】
【特許文献】
【特許文献】  実用新案登録第３１３３８２５号「０００２〜０００７及び図８」
【考案の概要】
【考案を解決しようとする課題】
【０００６】昨今、甲高、幅広の靴が多く使用されるようになり、本体４の開口部の靴の挿入口の高さ及び幅をそれぞれの前記の靴が対応できるように広くする。
【０００７】本考案は上記の点に鑑みなされたものであって、従来の制御器が内蔵されていないフットスイッチにおける問題点を解決できるようにした、制御器内臓フットスイッチ１を提供するものである。
【課題を解決するための手段】
【０００８】本考案の趣旨としては、方形状の本体の開口部の中央に方形状に窪ませて形成した検知部を設けて前記本体に被着し、前記本体の検知部における側面に、光線を照射する投光素子と前記投光素子から照射された光線を受光する受光素子を対置し、前記受光素子の受光を遮断したときに扉等自動開閉装置の制御器に開扉信号を出力するようになした制御器内臓フットスイッチにおいて、前記本体をステンレス材をもって一体化し、本体の開口部の高さを９０ｍｍ乃至１２０ｍｍ、幅を１１０ｍｍ乃至１３０ｍｍとした特徴とする制御器内臓フットスイッチ
【０００９】前記本体内に前記投光素子と受光素子を制御する制御器を設置し、前記投光素子と受光素子のシールド線を前記制御器に結線をしてなる制御器内臓フットスイッチ
【考案の効果】
【００１０】本考案は本体４の深さを４０ｍｍと浅くした場合には、一般的に使用されている制御器が内蔵されていないフットスイッチの取付ける壁の厚さの全てに対応できることが出来る、さらに、本体４をステンレス材にする事により、耐久性と薬品及び水滴等によっての錆を防止できる。
【００１１】本考案は開口部５ｃを高さ９０ｍｍ乃至１２０ｍｍ、幅１１０ｍｍ乃至１３０ｍｍとしたことにより、甲高及び幅広の靴等の挿入を可能にする。
【実施例】
【００１２】以下、本考案の実施例について自動扉の一例として説明する。
図１は本考案の実施例に係る制御器内臓フットスイッチ１の正面図、図２は捨てボックスの正面図、図３は図２のＡ−Ａ線断面図、図４は本体正面図、図５は検知部５のセンサーヘッド（投光素子７、受光素子８）と制御器９を組み付けた本体４の背面図、図６は図５のＢ−Ｂ線断面図、図７は本考案の設置状態の図５のＣ−Ｃ断面図である。【００１３】図１は制御器内臓フットスイッチ１の本体４であり、検知部５の底面にて、本体４と図２の捨てボックス２をビス６にて図２のスペーサー３と共に結合し、さらに制御部５の開口部５ｃを示す。【００１４】図２は捨てボックス２の正面図でスペーサー３に図７の連結ビス６による結合の為の穴３ａを設けている【００１５】図３は図２のＡ−Ａ断面図で捨てボックス２とそれを構成する図１本体４との結合する為の連結ビス６用スペーサー３とビス用穴３ａを示す。【００１６】図４は本体４の背面部で検知部５とビス取付用の穴５．ａ並びに検知部５の開口部５ｃ、さらに図５に記載の投光素子７と受光素子８を取付けるプレート５ｂを示す【００１７】図５は本体４の背面部で制御器９をビス１０にて固定し、感知部５の側面にプレート５ｂに取付られた投光素子７及び受光素子８を制御器９に本体４内でシールド線１１ａ及び１１ｂをもって結線している。さらに図２の捨てボックス２との連結用穴５ａを示し、出力信号１２と電源１３は扉等自動開閉装置の制御器（図示せず）への配線である。【００１８】図６は図４のＢ−Ｂ断面図で本体４の背面に図５の制御器９取付用ナット４ａ、と捨てボックス２との連結ビス６用穴５ａを示す。【００１９】図７は本考案の制御器内臓フットスイッチ１に対する、本体の図５のＣ−Ｃ断面図で本体４と捨てボックス２を連結ビス６にて結合、さらにナット４ａに制御器９をビス１０にて固定し、検知部５に靴１４の挿入を示し、さらにセンサーヘッド取付用穴７を示す、Ｗは取付ける壁面部を示す。
【産業上の利用可能性】
【００２０】本考案は扉等自動開閉装置の作動に対し、この制御器内臓フットスイッチ１にて対応可能である。【００２１】本考案は、昨今靴の甲高及び幅広利用に適応できるよう、本体４の開口部５ｃの高さと幅を広げ需要に対応するものである。
【図面の簡単な説明】
【００２２】
【図１】本考案の実施例に係るフットスイッチの正面図である。
【図２】本考案の実施例に係るフットスイッチにおける捨てボックス正面図である。
【図３】図２のＡ−Ａ線断面図である。
【図４】本体の正面図である。
【図５】投光素子と受光素子及びそれらの制御器を組立てた本体の背面図である。
【図６】図５のＢ−Ｂ線断面図である。
【図７】本考案の設置状態で図５のＣ−Ｃ断面図である。
【符号の説明】
【００２３】  １，制御器内臓扉用フットスイッチ
２，捨てボックス
３，サペーサー
３ａ，結合用穴
４，本体
４ａ，ナット
５，検知部
５ａ，結合用穴
５ｂ，プレート
５ｃ，開口部
６，連結ビス
７，投光素子
８．受光素子
９，制御器
１０，ビス
１１ａ  シールド線
１１ｂ  シールド線
１２，出力信号
１３，電源
１４，靴
【図１】
0003205951.tif 000003
【図２】
0003205951.tif 000004
【図３】
0003205951.tif 000005
【図４】
0003205951.tif 000006
【図５】
0003205951.tif 000007
【図６】
0003205951.tif 000008
【図７】
0003205951.tif 000009